(57)【特許請求の範囲】
【請求項１】
電気的接続部を有するサブ基板を、メイン基板に取付けるサブ基板取付ホルダーであって、
フレームと、位置決め部と、固定部とを備え、
フレームは、フレームに設けられた窓からサブ基板の電気的接続部を露出させた状態でサブ基板を保持可能とし、
位置決め部は、メイン基板側に突起し、先端が外周方向にＬ字状に折れ曲がった形状を有し、メイン基板の被位置決め孔に勘合可能とし、
固定部は、メイン基板の被固定部と勘合することでサブ基板取付ホルダーをメイン基板に固定可能とし、
サブ基板をフレームに保持させた状態で、位置決め部をメイン基板の被位置決め孔に勘合させて、位置決め部を回動中心として回動させることによって、固定部をメイン基板の被固定部に固定したとき、サブ基板の電気的接続部が、メイン基板の電気的被接続部に接続されることを特徴とする
サブ基板取付ホルダー。
【請求項２】
フレームに設けられた窓は、フレーム中、位置決め部に寄った位置に配置されていることを特徴とする
請求項１に記載のサブ基板取付ホルダー。
【請求項３】
サブ基板をメイン基板に取付けたとき、サブ基板周囲の一部は、メイン基板からはみ出して配置され、
フレームは、メイン基板からはみ出したサブ基板周囲を保護する保護部を備えることを特徴とする
請求項１または請求項２に記載のサブ基板取付ホルダー。
【請求項４】
サブ基板は、無線通信用のアンテナを有することを特徴とする
請求項３に記載のサブ基板取付ホルダー。
【請求項５】
フレームにサブ基板を保持させたとき、フレームとサブ基板の間には、サブ基板が移動可能な間隙を有することを特徴とする
請求項１から請求項４の何れか１項に記載のサブ基板取付ホルダー。
【請求項６】
電気的接続部を有するサブ基板を、サブ基板取付ホルダーを使用してメイン基板に取付けるサブ基板取付方法であって、
サブ基板取付ホルダーは、フレームと、位置決め部と、固定部とを備え、
フレームは、フレームに設けられている窓からサブ基板の電気的接続部を露出させた状態でサブ基板を保持可能とし、
位置決め部は、メイン基板側に突起し、先端が外周方向にＬ字状に折れ曲がった形状を有し、メイン基板の被位置決め孔に勘合可能とし、
固定部は、メイン基板の被固定部と勘合することでサブ基板取付ホルダーをメイン基板に固定可能とし、
サブ基板をフレームに保持させた状態で、位置決め部をメイン基板の被位置決め孔に勘合させて、位置決め部を回動中心として回動させることによって、固定部をメイン基板の被固定部に固定することで、サブ基板の電気的接続部を、メイン基板の電気的被接続部と接続することを特徴とする
サブ基板取付方法。
【発明の詳細な説明】
【技術分野】
【０００１】
本発明は、電気的接続部を有するサブ基板をメイン基板に取付けるサブ基板取付ホルダー、及び、サブ基板をサブ基板取付ホルダーに取付けするサブ基板取付方法に関する。
【背景技術】
【０００２】
従来、各種電子装置では、電気的制御を行うための構成として、各種電子部品を配線パターンで接続する基板を使用することが一般的である。このような電子装置で使用される基板上には、電子部品のみならず、コネクタを介して補助的な基板を接続し、必要な機能を補うことが一般的である。
【０００３】
特許文献１には、回路基板と配線基板をコネクタで電気的に接続する電子機器の基板取付構造が開示されている。
【先行技術文献】
【特許文献】
【０００４】
【特許文献１】特開平７−１１５２８７号公報
【発明の概要】
【発明が解決しようとする課題】
【０００５】
ところで、基板に設けられたコネクタを互いに接続する場合、コネクタの形状によっては、互いにずれて接続される場合がある。このような場合、一方のコネクタ内のピンが、本来接続すべき相手側の端子と接続されず、正常に動作しないことが考えられる。特に、基板を互いに接続する場合、コネクタが基板で目隠しされた状態となるため、的確に取り付けるには細心の注意を払う、もしくは、接続した後に電気的な動作を確認する必要がある。
【０００６】
本発明は、このような状況を鑑みたものであって、コネクタ（電気的接続部）を有する基板（サブ基板）を、相手側の基板（メイン基板）のコネクタ（電気的被接続）に的確に取り付けることを一つの目的としている。
【課題を解決するための手段】
【０００７】
そのため、本発明に係るサブ基板取付ホルダーは以下の構成を採用するものである。
電気的接続部を有するサブ基板を、メイン基板に取付けるサブ基板取付ホルダーであって、
フレームと、位置決め部と、固定部とを備え、
フレームは、フレームに設けられた窓からサブ基板の電気的接続部を露出させた状態でサブ基板を保持可能とし、
位置決め部は、メイン基板側に突起し、先端が外周方向にＬ字状に折れ曲がった形状を有し、メイン基板の被位置決め孔に勘合可能とし、
固定部は、メイン基板の被固定部と勘合することでサブ基板取付ホルダーをメイン基板に固定可能とし、
サブ基板をフレームに保持させた状態で、位置決め部をメイン基板の被位置決め孔に勘合させて、位置決め部を回動中心として回動させることによって、固定部をメイン基板の被固定部に固定したとき、サブ基板の電気的接続部が、メイン基板の電気的被接続部に接続されることを特徴とする。
【０００８】
さらに本発明に係るサブ基板取付ホルダーにおいて、
フレームに設けられた窓は、フレーム中、位置決め部に寄った位置に配置されていることを特徴とする。
【０００９】
さらに本発明に係るサブ基板取付ホルダーは、
サブ基板をメイン基板に取付けたとき、サブ基板周囲の一部は、メイン基板からはみ出して配置され、
フレームは、メイン基板からはみ出したサブ基板周囲を保護する保護部を備えることを特徴とする。
【００１０】
さらに本発明に係るサブ基板取付ホルダーにおいて、
サブ基板は、無線通信用のアンテナを有することを特徴とする。
【００１１】
さらに本発明に係るサブ基板取付ホルダーは、
フレームにサブ基板を保持させたとき、フレームとサブ基板の間には、サブ基板が移動可能な間隙を有することを特徴とする。
【００１２】
電気的接続部を有するサブ基板を、サブ基板取付ホルダーを使用してメイン基板に取付けるサブ基板取付方法であって、
サブ基板取付ホルダーは、フレームと、位置決め部と、固定部とを備え、
フレームは、フレームに設けられている窓からサブ基板の電気的接続部を露出させた状態でサブ基板を保持可能とし、
位置決め部は、メイン基板側に突起し、先端が外周方向にＬ字状に折れ曲がった形状を有し、メイン基板の被位置決め孔に勘合可能とし、
固定部は、メイン基板の被固定部と勘合することでサブ基板取付ホルダーをメイン基板に固定可能とし、
サブ基板をフレームに保持させた状態で、位置決め部をメイン基板の被位置決め孔に勘合させて、位置決め部を回動中心として回動させることによって、固定部をメイン基板の被固定部に固定することで、サブ基板の電気的接続部を、メイン基板の電気的被接続部と接続することを特徴とする。
【発明の効果】
【００１３】
本発明に係るサブ基板取付ホルダー、または、サブ基板取付方法によれば、サブ基板取付ホルダーに設けられた位置決め部を、メイン基板の被位置決め部に勘合させた状態で、サブ基板取付ホルダーをメイン基板に固定することで、サブ基板の電気的接続部とメイン基板の電気的被接続部を的確な配置で取り付けることが可能である。
【００１４】
さらに本発明に係るサブ基板取付ホルダーは、サブ基板の電気的接続部を露出させるための窓を、フレーム中、位置決め部に寄った位置に配置することとしている。このような構成により、位置決め部の位置を支点、フレームの適宜箇所を力点、電気的接続部の位置を作用点とする、テコの原理を使用して、サブ基板の電気的接続部とメイン基板の電気的被接続部を容易に接続することが可能となる。
【００１５】
さらに本発明に係るサブ基板取付ホルダーによれば、サブ基板取付時にメイン基板からはみ出したサブ基板周囲を保護する保護部を備えることで、サブ基板を衝突や衝撃から保護することが可能となる。
【００１６】
さらに本発明に係るサブ基板取付ホルダーは、無線通信用のアンテナを有したサブ基板を保持する対象としている。サブ基板周囲の一部は、メイン基板からはみ出して配置されるため、アンテナを有するサブ基板にとっては、電波の送受信感度の向上を図る上で有利となる。
【００１７】
さらに本発明に係るサブ基板取付ホルダーは、サブ基板を保持したとき、フレームとサブ基板の間には、サブ基板が移動可能な間隙を有することとしている。このような構成より、サブ基板の電気的接続部と、メイン基板の電気的被接続部を接続する際、この間隙を利用してサブ基板が僅かに移動することで、無理な力をかけること無く電気的接続部と電気的被接続部を接続することが可能となる。また、サブ基板取付ホルダーをメイン基板に固定した後、この間隙により、サブ基板取付ホルダーに対する衝突や衝撃が、サブ基板に直接影響することを抑制し、電気的接続部と電気的被接続部の接続関係をより確実に保護することが可能となる。
【図面の簡単な説明】
【００１８】
【図１】本実施形態の電子装置（カラオケシステム）の構成を示す図
【図２】本実施形態のサブ基板取付ホルダーの斜視図
【図３】本実施形態のサブ基板取付ホルダーの上面図、側面図
【図４】本実施形態のサブ基板（無線ＬＡＮ通信基板）の斜視図、上面図、側面図
【図５】本実施形態のメイン基板の一部を示す上面図
【図６】本実施形態のサブ基板取付ホルダーにおけるサブ基板保持の様子を示す図
【図７】本実施形態のサブ基板取付ホルダーの固定を説明するための図
【図８】本実施形態のサブ基板取付ホルダー固定時の上面図
【発明を実施するための形態】
【００１９】
本発明のサブ基板取付ホルダーを使用する電子装置について、カラオケ装置２を例に取って説明する。なお、本発明のサブ基板取付ホルダーは、ここで説明するカラオケ装置２に限られるものではなく、メイン基板に対してサブ基板を取り付ける各種電子装置に適用することが可能である。
【００２０】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２１】
カラオケボックスなどの店舗に設置されるカラオケ装置２は、楽曲を再生するための再生部としての音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのハードディスク３２を備える。カラオケ装置２は、ＬＡＮ１００に接続してネットワークに加入する通信手段としてのＬＡＮ通信部２４ａを備えている。また、本実施形態では、カラオケ装置２の設置状況に応じて無線ＬＡＮを使用することも可能である。そのため、カラオケ装置２は、無線ＬＡＮ通信部２４ｂを備えて構成されている。無線ＬＡＮ通信を使用して、カラオケ装置２をネットワークに参加させる場合、無線ＬＡＮ通信部２４ｂと、アクセスポイント１１０間で無線通信が行われる。この場合、カラオケ装置２に対し、ＬＡＮケーブルが不要となり、カラオケ装置２の設置場所の自由度の向上が図られる。
【００２２】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２３】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部２１、あるいは、リモコン装置１のタッチパネルモニタ１１等と同様、入力部として機能する。ユーザは、タッチパネルモニタ３３にて楽曲を選択することで、直接カラオケ装置２に予約をさせるなど、カラオケ装置２に対する各種操作を行うことが可能である。
【００２４】
さらに、カラオケ装置２は、各構成を統括して制御するためのＣＰＵ３０、各種プログラムを実行するにあたって必要となる情報を一時記憶するためのメモリ２７を備えて構成される。これら、ＣＰＵ３０、メモリ２７によって、カラオケ装置２の制御部を構成している。
【００２５】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２６】
楽曲演奏処理は、楽曲情報に含まれる演奏情報に基づき、音響制御部２５に演奏を実行させる処理である。音響制御部２５にて演奏された演奏音は、マイクロホン４４ａ、４４ｂから入力される歌唱音声とミキシングされ、スピーカ４２から放音される。
【００２７】
歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００２８】
一方、リモコン装置１は、歌唱する楽曲を選択する選曲処理を実行可能とし、予約情報などカラオケ装置２に対して各種指示を送信可能としている。また、リモコン装置１は、カラオケ装置２あるいはインターネット上に接続されたホスト装置５から各種情報を受信し、ユーザに対して各種情報を提供することも可能である。本実施形態では、ユーザから各種指示を受け付けるユーザインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２９】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００３０】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３１】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００３２】
以上、説明したようにカラオケシステム中のカラオケ装置２は、無線ＬＡＮ通信を行うための無線ＬＡＮ通信部２４ｂを備えて構成されている。カラオケ装置２は、ＣＰＵ３０などが搭載されたメイン基板上に、カラオケ装置２において各種機能を実現するための各種構成が配置される。これら構成には、メイン基板にＩＣを直接、配置する形態の他、メイン基板にサブ基板を取り付けることで実現される形態がある。本実施形態のカラオケ装置２では、無線ＬＡＮ通信部２４ｂは、サブ基板を利用した形態となっている。本実施形態では、無線ＬＡＮ通信部２４ｂの機能を実現するサブ基板は、サブ基板取付ホルダーを使用してメイン基板に取り付けられる。
【００３３】
図２には、本実施形態のサブ基板取付ホルダー６の斜視図が示されている。図２（Ａ）、図２（Ｂ）は、それぞれ異なる角度からサブ基板取付ホルダー６を眺めたときの様子である。図２（Ａ）、図２（Ｂ）には、それぞれ、ａ、ｂ、ｃ軸で示される座標系が示されており、各図においてこの座標系は共通である。図３は、本実施形態のサブ基板取付ホルダー６の上面図、側面図を示した図であり、図３（Ａ）は、図２に示すｃ軸正の方向からサブ基板取付ホルダーを眺めたときの上面図であり、図３（Ｂ）は、側壁６１ｃ側から眺めたときの側面図であり、図３（Ｃ）は、側壁６１ｄ側から眺めたときの側面図であり、図３（Ｄ）は、側壁６１ｂ側から眺めたときの側面図である。
サブ基板取付ホルダー６は、底壁６２の周囲を４つの側壁６１ａ〜６１ｃで囲われた直方体形状を有している。本実施形態では、底壁６２と側壁６１ａ〜６１ｃにて、本発明におけるフレームが構成される。サブ基板取付ホルダー６は、プラスチックなどの材料で一体成形されている。本実施形態のサブ基板取付ホルダー６は、サブ基板７を保持する保持機能と、サブ基板取付ホルダー６自体をメイン基板８に固定する固定機能を備えている。
【００３４】
まず、サブ基板取付ホルダー６におけるサブ基板７の保持機能について、それに必要な構成を説明する。サブ基板取付ホルダー６の上面には、サブ基板７を保持するための開口が形成されている。開口を形成する側壁６１ｃ、側壁６１ｄには、先端部に爪部を有する保持片６３ａ、６３ｂが設けられている。また、図３（Ｂ）、（Ｄ）を見ると分かるように、開口内においてサブ基板７が適切な位置に保持されるよう、サブ基板７の下面を支持する支持部６７ａ〜６７ｃが設けられている。サブ基板７は、保持片６３ａ、６３ｂの先端に形成された爪と、支持部６７ａ〜６７ｃの間で開口内に保持される。保持片６３ａ、６３ｂは弾性を有しており、サブ基板７の挿入に伴い、保持片６３ａ、６３ｂが僅かに広がることで、開口内にサブ基板７を保持させることが可能となっている。
【００３５】
また、底壁６２には、サブ基板７に設けられた電気的接続部（ピン端子７５）を、メイン基板側に露出させるための窓６４が設けられている。サブ基板７の電気的接続部（ピン端子７５）は、メイン基板側の電気的被接続部（ピンソケット８２ａ）と、窓６４を介して接続される。
【００３６】
次に、サブ基板取付ホルダー６をメイン基板８に固定する固定機能について、それに必要な構成を説明する。本実施形態のサブ基板取付ホルダー６は、メイン基板８に対して適切な位置で固定されるように、側壁６１ｃの下方に形成された位置決め片６５（本発明における「位置決め部」に相当）を有している。そして、メイン基板８に固定するため、側壁６１ａと側壁６１ｂの下方に、それぞれ固定片６６ａ、６６ｂ（本発明における「固定部」に相当）を有している。サブ基板取付ホルダー６をメイン基板８に固定する場合、位置決め片６５をメイン基板８側の位置決め孔８１（本発明における「被位置決め部」に相当）に勘合させることで、サブ基板取付ホルダー６をメイン基板８に対して位置合わせする。そして、固定片６６ａ、６６ｂをそれぞれ、メイン基板８側の固定孔８３、固定辺８４に固定することで、サブ基板取付ホルダー６とメイン基板８が固定される。
【００３７】
図４は、本実施形態のサブ基板７（無線ＬＡＮ通信基板）の斜視図、上面図、側面図を示したものである。図４（Ａ）は、サブ基板７の斜視図を、図４（Ｂ）は、サブ基板７の上面図を、図４（Ｃ）、図４（Ｄ）は、サブ基板７の側面図を示している。本実施形態のサブ基板７は、カラオケ装置２中の無線ＬＡＮ通信部２４ｂを実現するための無線ＬＡＮ通信基板に相当している。
【００３８】
図４に示されるように、本実施形態のサブ基板７は、制御ユニット７２と、アンテナユニット７３、端子ベース７４を基板７１上に有している。アンテナユニット７３は、無線ＬＡＮ通信を行うためのアンテナを内蔵している。端子ベース７４上には、８つのピン端子７５（本発明における「電気的接続部」に相当）が設けられている。制御ユニット７２は、アンテナユニット７３、ピン端子７５と電気的に接続され、アンテナユニット７３で受信した電波を信号に変換しピン端子７５からメイン基板８側に出力するとともに、メイン基板８側から入力された信号をアンテナユニット７３にて電波送信する。ピン端子７５をメイン基板８側のピンソケット８２ａ（本発明における「電気的被接続部」に相当）と接続することで、サブ基板７は無線ＬＡＮ通信部２４ｂとして機能することになる。
【００３９】
図５は、本実施形態のメイン基板８の一部を示す上面図である。図中、Ｘ、Ｙ、Ｘ軸にて座標系を規定しているが、Ｙ軸負の方向がカラオケ装置２の筐体の前方であり、ＸＺ軸面と略並行にカラオケ装置２の前面パネルが位置している。このメイン基板８の一部は、カラオケ装置２の前面を手前にした状態で上方から眺めたとき、右下部分を示したものである。本実施形態のサブ基板取付ホルダー６は、メイン基板８の右下部分に固定される。したがって、サブ基板７も同じ箇所に取り付けられることになる。本実施形態のサブ基板は、無線ＬＡＮ通信を行うアンテナユニット７３を備えており、このようにカラオケ装置２の前面パネル側に配置されることで、電波の送受信状態を向上する上で有利な位置となっている。
【００４０】
メイン基板８側において、サブ基板取付ホルダー６を固定するための構成として、位置決め孔８１（本発明における「被位置決め部」に相当）、固定孔８３と固定辺８４（両者は、本発明における「被固定部」に相当）を備えている。なお、位置決め孔８１と固定孔８３は、メイン基板８を貫通する形態の孔として構成されている。また、サブ基板７をメイン基板８と電気的に接続するための構成として、ソケット台８２を有している。このソケット台８２には８つのピンソケット８２ａが設けられている。図４で説明した８つのピン端子７５が、このピンソケット８２ａに接続されることで、サブ基板７が無線ＬＡＮ通信部２４ｂとして機能することになる。ところで、８つのピン端子７５は、それぞれ対応するピンソケット８２ａに接続する必要がある。本実施形態のようなピン端子７５とピンソケット８２ａの形状の場合、接続対象となるピン端子７５とピンソケット８２ａは、基板７１（サブ基板７）の影に隠れた状態で接続する必要があるため、ピン端子７５とピンソケット８２ａの位置がずれた状態で接続されることが考えられる。両者がずれて接続された場合には、サブ基板７は無線ＬＡＮ通信部２４ｂとして機能せず、また、ピン端子７５が破損してしまうこともある。
【００４１】
本発明のサブ基板取付ホルダー６は、このような課題を解決すること、すなわち、サブ基板７側のピン端子７５と、メイン基板８側のピンソケット８２ａを適正に接続することを一つの目的としている。サブ基板取付ホルダー６のメイン基板８への取付は、まず、サブ基板取付ホルダー６にサブ基板７を保持させ、サブ基板７を保持した状態のサブ基板取付ホルダー６をメイン基板８に固定することで行われる。
【００４２】
図６は、本実施形態のサブ基板取付ホルダー６におけるサブ基板７保持の様子を示す図である。図６（Ａ）は、サブ基板７を保持させる際の様子を示す図で有り、図６（Ｂ）は、サブ基板７を保持した状態のサブ基板取付ホルダー６の上面図（図６（Ｂ１））、側面図（図６（Ｂ２））である。図６（Ａ）に示されるように、サブ基板７は、制御ユニット７２の構成を下にして裏面を上向きにした状態で、サブ基板取付ホルダー６に保持される。このようにサブ基板７の裏面を上向きにした状態では、サブ基板７の８つのピン端子７５は、サブ基板取付ホルダー６の窓６４から露出した状態となる。サブ基板取付ホルダー６は、保持片６３ａ、６３ｂに設けられた爪で基板７１の一面を保持し、３つの支持部６７ａ〜６７ｃで基板７１の他面を保持する。
【００４３】
また、サブ基板７の基板７１は、これら構成で保持されたとき、サブ基板取付ホルダー６との間に、サブ基板７が移動可能であって、その保持を外れない程度の間隙を形成する。この間隙は、図６（Ｂ１）の面内の方向のみならず、図６（Ｂ１）の面と垂直な方向（保持片６３ａ、６４ｂと、支持部６７ａ〜６７ｃの間が、基板７１の厚さよりも大きいことを理由とする）に対しても形成されている。このように形成されたサブ基板取付ホルダー６とサブ基板７と間の間隙は、サブ基板７のピン端子７５をメイン基板８のピンソケット８２ａに適切に接続する遊びとして機能する。また、図６（Ｂ１）の面内方向の間隙は、サブ基板取付ホルダー６をメイン基板８に固定した後、サブ基板７を外部からの衝撃に対して保護するために機能することになる。
【００４４】
図７は、本実施形態のサブ基板取付ホルダー６の固定を説明するための図である。メイン基板８への固定は、図６（Ｂ）のようにサブ基板７をサブ基板取付ホルダー６に保持させた状態で行われる。まず、図７（Ａ）に示すように、メイン基板８の位置決め孔８１に、サブ基板取付ホルダー６の位置決め片６５を挿入することで、メイン基板８とサブ基板取付ホルダー６の位置合わせを行う。位置決め片６５を中心にサブ基板取付ホルダー６を、メイン基板８側に向かって回動させることで、固定が行われる。
【００４５】
位置決め片６５によって、位置合わせされた状態では、サブ基板取付ホルダー６内に保持されたサブ基板７のピン端子７５と、メイン基板８側のピンソケット８２ａの位置が、適切に接続可能な位置関係となる。特に、本実施形態では、サブ基板取付ホルダー６とサブ基板７との間に、サブ基板７が移動可能な間隙が設けられていることで、図７（Ｂ）のように、ピン端子７５の先端が、ピンソケット８２ａに接続された際、サブ基板７は適切な位置となるように間隙を移動し、ピン端子７５、ピンソケット８２ａに無理な力を作用させることなく、両者を接続可能としている。また、ピン端子７５をピンソケット８２ａの真上から接続する場合には問題とならないが、本実施形態のように、ピンソケット８２ａの斜め上方からピン端子７５を接続する場合、ピン端子７５、ピンソケット８２ａに無理な力を作用することが考えられる。本実施形態では、サブ基板７が図６（Ｂ１）の面と垂直な方向に対して設けた間隙を遊びとしており、このような斜めからのピン端子７５を接続する際においても、ピン端子７５、ピンソケット８２ａに作用する力が抑制されている。
【００４６】
さらに、本実施形態では、テコの原理を使用して、少ない力でピン端子７５とピンソケット８２ａを接続することを可能としている。図６（Ｂ）をみると分かるように、サブ基板取付ホルダー６にサブ基板７を保持させたときに、ピン端子７５は、位置決め片６５に寄った位置に配置されている。また、サブ基板取付ホルダー６は、メイン基板８への固定の際、位置決め片６５を中心として回動する。したがって、サブ基板取付ホルダー６を固定する際、位置決め片６５の位置を支点、サブ基板取付ホルダー６の位置決め片６５と反対側を作用点、ピン端子７５の位置を力点とするテコの原理にて、ピン端子７５とピンソケット８２ａを接続することが可能となる。なお、このテコの原理は、サブ基板取付ホルダー６をメイン基板８に固定する際のみならず、サブ基板取付ホルダー６を取り外す際にも作用することになり、少ない力で、サブ基板取付ホルダー６を楽にメイン基板８から取り外すことが可能である。
【００４７】
図６（Ｂ）の状態からさらにサブ基板取付ホルダー６を回動させ、図６（Ｃ）の状態とすることで、サブ基板取付ホルダー６の固定片６６ｂがメイン基板８の固定辺８４に勘合し、サブ基板取付ホルダー６の固定片６６ａがメイン基板８の固定孔８３に勘合し、サブ基板取付ホルダー６の固定が完了する。このとき、サブ基板７のピン端子７５は、メイン基板８のピンソケット８２ａと接続される。
【００４８】
図８には、本実施形態のサブ基板取付ホルダーを固定したときの上面図であり、図５のメイン基板８の配置に対して、サブ基板取付ホルダー６を固定した際の様子である。図８の上面図を見て分かるように、メイン基板８側の固定孔８３、固定辺８４に対し、サブ基板取付ホルダー６側の固定片６６ａ、６６ｂが勘合することで、サブ基板取付ホルダー６が固定される。また、位置決め片６５は、サブ基板取付ホルダー６を取り付ける際、位置決め機能として機能していたが、取付後は、そのＬ字状に折れ曲がった先端によって、サブ基板取付ホルダー６を固定する役割を有している。また、本実施形態では、メイン基板８側の一辺を固定辺８４として使用することで、サブ基板取付ホルダー６をメイン基板８から容易に取り外すことを可能としている。図７（Ｃ）から分かるように、固定辺８４に固定された固定片６６ｂは、孔に対しての勘合では無く、辺に対する勘合を理由として、側面全域が露出した状態となっている。したがって、側面全域が露出した固定片６６ｂを操作することで、サブ基板取付ホルダー６をメイン基板８から容易に取り外すことが可能となっている。
【００４９】
サブ基板７は、電波感度の向上を図るため、メイン基板８中、前面パネル側近く配置していることを先に述べたが、本実施形態では、さらなる電波感度の向上を図るため、サブ基板７は、その一部がメイン基板８からはみ出した状態で取り付けることとしている。このような状態で取り付けることで、メイン基板８での電波の反射や輻射などの影響の抑制を図り、アンテナユニット７３における電波の送受信感度の向上を図ることとしている。このようにサブ基板７の周囲の一部をメイン基板はみ出した状態で配置した場合、通常であれば、製造ラインなどにおいてサブ基板７が衝突や衝撃にあうことが考えられる。本実施形態のサブ基板取付ホルダー６は、このような衝突や衝撃からサブ基板７を保護する保護機能をさらに備えている。すなわち、サブ基板７の周囲は、サブ基板取付ホルダー６の４つの側壁６１ａ〜６１ｄで囲われているため、外部の衝突、衝撃からサブ基板７を保護することを可能としている。さらに、本実施形態では、サブ基板７とサブ基板取付ホルダー６の間に間隙（特に、図６（Ｂ１）の面内方向の間隙）を設けたことで、サブ基板取付ホルダー６に衝突、衝撃が加わった場合であっても、直接、サブ基板７に伝達することを抑制し、サブ基板７の保護をより確実にしている。なお、サブ基板７の保護は、本実施形態のようにサブ基板７の周囲全て行う必要は無く、少なくともメイン基板８からはみ出した部分について行うこととしてもよい。
【００５０】
以上、説明したように本実施形態のサブ基板取付ホルダー、サブ基板取付ホルダーを使用したサブ基板取付方法、あるいは、サブ基板取付ホルダーを使用してサブ基板が取り付けられている電子装置によれば、サブ基板側の電気的接続部（本実施形態では、ピン端子７５）と、メイン基板側の電気的被接続部をずれることなく、的確に接続することが可能となる。さらに、サブ基板を取り付けた後は、サブ基板取付ホルダーがサブ基板を保護する部材として機能し、外部との衝突、あるいは外部からの衝撃からサブ基板を保護することも可能となる。
【符号の説明】
【００５１】
１ａ、１ｂ…リモコン装置                  ３２…ハードディスク
２…カラオケ装置                          ３３…タッチパネルモニタ
５…ホスト装置                            ３４…タッチパネル
６…サブ基板取付ホルダー                  ３５…表示部
７…サブ基板                              ４１…モニタ
８…メイン基板                            ４２…スピーカ
１１…タッチパネルモニタ                  ４４ａ、４２ｂ…マイクロホン
１１ａ…表示部                            ６１ａ〜６１ｄ…側壁
１１ｂ…タッチパネル                      ６２…底壁
１２…ビデオＲＡＭ                        ６３ａ、６３ｂ…保持片
１３…映像制御部                          ６４…窓
１４…メモリ                              ６４ｂ…保持片
１５…ＣＰＵ                              ６５…位置決め片
１６…無線ＬＡＮ通信部                    ６６ａ、６６ｂ…固定片
１７…操作部                              ６７ａ〜６７ｃ…支持部
１８…操作処理部                          ７１…基板
２１…操作部                              ７２…制御ユニット
２２…操作処理部                          ７３…アンテナユニット
２４ａ…ＬＡＮ通信部                      ７４…端子ベース
２４ｂ…無線ＬＡＮ通信部                  ７５…ピン端子
２５…音響制御部                          ８１…位置決め孔
２７…メモリ                              ８２…ソケット台
２８…ビデオＲＡＭ                        ８２ａ…ピンソケット
２９…映像再生部                          ８３…固定孔
３０…ＣＰＵ                              ８４…固定辺
３１…映像制御部                          １１０…アクセスポイント
【図１】
0006447175.tif 000002
【図２】
0006447175.tif 000003
【図３】
0006447175.tif 000004
【図４】
0006447175.tif 000005
【図５】
0006447175.tif 000006
【図６】
0006447175.tif 000007
【図７】
0006447175.tif 000008
【図８】
0006447175.tif 000009